(57)【特許請求の範囲】
【請求項１】
パーソナルコンピュータのデータ通信用モデムに一端が接続されたケーブルの他端を接続する第１接続コネクタと、電源供給用の給電アダプタに一端が接続されたケーブルの他端を接続する第２接続コネクタと、第１接続コネクタおよび第２接続コネクタの各ラインをまとめた回路基板と、装置本体の外壁に回動可能に取り付けられ、閉じた際に筐体の外壁に密着して一体となり、開いた際に携帯型電話機を装置本体の載置面から離れた位置で保持する受け部を有する前記装置本体の一端部に設けられた前部爪と他端部に設けられた後部爪とからなる保持手段と、一端部が前記回路基板に接続しかつ他端部が携帯型電話機に接続する接続ケーブルとを有するものであって、前記接続ケーブルを携帯型電話機に接続した際、前記パーソナルコンピュータと携帯型電話機との間、および給電アダプタと携帯型電話機の電池パックとの間を電気的に接続することを特徴とする携帯型電話機のデータ通信用接続分岐装置。
【請求項２】
開いた際に前記前部爪に形成されている前記受け部が前記後部爪に形成されている前記受け部よりも低い位置にあることを特徴とする請求項１記載の携帯型電話機のデータ通信用接続分岐装置。
【発明の詳細な説明】
【０００１】
【発明の属する技術分野】
本発明は、携帯型電話機を使用してデータ通信を行う場合、同時に携帯型電話機の電池パックの充電をも可能にした携帯型電話機のデータ通信用接続分岐装置に関する。
【０００２】
【従来の技術】
最近、携帯型電話機や、あるいはＰＨＳ(パーソナル・ハンディホン・システム)といわれている簡易型無線電話機等のような使用者の身体に携帯できる携帯型電話機が流行している。さらには、パーソナルコンピュータに携帯型電話機を接続し、電話回線を通じてデータ通信を行うようになってきた。
【０００３】
図６は、従来における、携帯型電話機を使用してデータ通信を行うための装置および接続状態を示す説明図であり、１は携帯型電話機、２はカード型のモデム、３は携帯型のパーソナルコンピュータ(以下、パソコンと略称する)、４はケーブルを示し、モデム２をパソコン３に装着し、携帯型電話機１とモデム２とをケーブル４で接続することにより、データ通信を行うことができる。
【０００４】
【発明が解決しようとする課題】
しかしながら、上述した従来例では、データ通信が長時間に亘って行われると、携帯型電話機の電池を使い切ってしまい、再度充電してからでなければデータ通信を再開することができないという問題を有していた。また、携帯型電話機を机上に寝かせた状態での使用は、特に机がスチール等の金属性の場合にアンテナゲインが低下して着呼感度を悪くするという問題も合わせて有していた。
【０００５】
本発明は、このような問題を解決するものであり、携帯型電話機のデータ通信時の携帯型電話機の電源を確保でき、着呼感度を向上させた携帯型電話機による信頼性のある優れたデータ通信が行える携帯型電話機のデータ通信用接続分岐装置を提供することをその課題とする。
【０００６】
【課題を解決するための手段】
前記課題を解決するための本発明は、パーソナルコンピュータのデータ通信用モデムに一端が接続されたケーブルの他端を接続する第１接続コネクタと、電源供給用の給電アダプタに一端が接続されたケーブルの他端を接続する第２接続コネクタと、第１接続コネクタおよび第２接続コネクタの各ラインをまとめた回路基板と、装置本体の外壁に回動可能に取り付けられ、閉じた際に筐体の外壁に密着して一体となり、開いた際に携帯型電話機を装置本体の載置面から離れた位置で保持する受け部を有する前記装置本体の一端部に設けられた前部爪と他端部に設けられた後部爪とからなる保持手段と、一端部が前記回路基板に接続しかつ他端部が携帯型電話機に接続する接続ケーブルとを有するものであって、前記接続ケーブルを携帯型電話機に接続した際、前記パーソナルコンピュータと携帯型電話機との間、および前記給電アダプタと携帯型電話機の電池パックとの間を電気的に接続することを特徴とする。このような構成により、データ通信を行いながら携帯型電話機の電池パックを充電することができる。また、携帯型電話機を持ち上げて机上から離した状態で支持することにより、アンテナゲインの低下を防止して着呼感度を向上させることができる。
【０００７】
また本発明は、開いた際に前記前部爪に形成されている前記受け部が前記後部爪に形成されている前記受け部よりも低い位置にあることを特徴とする。
【０００８】
【発明の実施の形態】
以下、本発明の実施形態について、図面を参照しながら詳細に説明する。
【０００９】
図１は本発明の一実施形態の装置の構成を示す分解斜視図であり、５は接続分岐装置、６は上筐体、７は上筐体６の開口部を閉じる下筐体、８は分岐回路基板、９は携帯型電話機保持用の前部爪、10は携帯型電話機保持用の後部爪、11は接続ケーブル、12はデータ通信用のモデム２に接続するための接続コネクタ、13は給電用の接続コネクタ、14は接続ケーブル11用のコネクタ、15〜20は取付けねじ、21〜24は下筐体７の四隅に設けられたゴム、25は下筐体７の中央部に取り付けたシートを示す。
【００１０】
上筐体６は略直方体型の筐体であり、長手方向の一方の面(以下、前面と称する)には接続ケーブル11が通るための切欠き６aが形成されており、両側面には窓６b，６c(窓６cは図４参照)が形成されており、両側面の両端部に孔６d，６eが形成されている。
【００１１】
分岐回路基板８上の中央部には、コネクタ14が設けられ、一方の側部にはコネクタ14に対向させて接続コネクタ12が位置付けられ、他方の側部にはコネクタ14に対向させて接続コネクタ13が位置付けられている。さらに、分岐回路基板８上には、接続コネクタ12および接続コネクタ13からのラインがコネクタ14でまとめられるように配線されている。また、コネクタ14には接続ケーブル11の一端のコネクタ11aが接続され、このコネクタ14から接続コネクタ12および接続コネクタ13に分岐して電気的に連結している。このように分岐回路基板８上には接続コネクタ12，接続コネクタ13，接続ケーブル11のコネクタ11a，コネクタ14が高密度実装によって実装されている。分岐回路基板８は接続コネクタ12および接続コネクタ13を介して取付けねじ17〜20によって、上筐体６内に固定される。この時、窓６bから接続コネクタ12が露出し、窓６cから接続コネクタ13が露出する。なお、接続ケーブル11の他端は携帯型電話機１の入出力部１d(図６参照)に接続可能なコネクタ11bを形成している。
【００１２】
前部爪９は、正面視(図中Ａ方向視)したとき、側面部９a，９aおよび側面部９a，９aを連結する中央部９cとからなる略コ字状に形成されており、側面部９a，９aの一端部に立設した突起９bが上筐体６の両側面の一端部の孔６d，６dに回動可能に設置されている。また、中央部９cにおける側面部９aの他端側の側部には受け部９dが形成されている。同様に後部爪10は、正面視(図中Ａ方向視)したとき、側面部10a，10aおよび側面部10a，10aを連結する中央部10cとからなる略コ字状になっており、側面部10a，10aの一端部に立設した突起10bが上筐体６の両側面の一端部の孔６e，６eに回動可能に設置されている。また、中央部10cにおける側面部10aの他端側の側部には受け部10dが形成されている。さらに、上筐体６の開口部が下筐体７およびシート25によって覆われることにより、接続分岐装置５が構成される。
【００１３】
図２は接続分岐装置の外観を示す斜視図であり、図３は図２の装置の前部爪および後部爪を開いた状態を示す斜視図である。図２に示すように、前部爪９および後部爪10を上筐体６側に回動させたとき、その先端同士が上筐体６の両側面の側方で当接することで、上筐体６の外壁に密着した状態となる。また、前部爪９および後部爪10の先端部は共に傾斜しており、前部爪９と後部爪10との当接部においては後部爪10の先端の傾斜面が前部爪９の先端の傾斜面の上方に位置するようになる。さらに、前部爪９の両側面部９a，９aの長さは後部爪10の両側面部10a，10aの長さよりも短く、また、側面部９aと側面部10aとを連結した長さは上筐体６の両側面の長さに略一致している。
【００１４】
図２の状態から、前部爪９および後部爪10を開くと、図３に示すように、中央部９c，10cが上筐体６の上面に当節して約90°回動した位置で安定する。このとき、前部爪９に形成されている受け部９dが後部爪10に形成されている受け部10dよりも低い位置にある。この受け部９dに携帯型電話機１の下部が支持され、受け部10dに携帯型電話機１の下部が支持される。
【００１５】
図４は本発明の実施形態の装置の使用状態を示した斜視図であり、26は一端に商用電源に対する差し込み部26aを有しかつ他端部に接続コネクタ13に対応する接続コネクタ26bを有する給電アダプタを示す。そして、図４に示すように、給電アダプタ26の差し込み部26aを商用電源に差し込み、接続コネクタ13に接続コネクタ26bを接続し、接続ケーブル11のコネクタ11bを携帯型電話機１の入出力部１dに接続し、接続コネクタ12とモデム２とをケーブル４で接続する。
【００１６】
携帯型電話機１と接続ケーブル11とを接続した際には、接続分岐装置５の前部爪９および後部爪10を開き、受け部９dおよび受け部10d上に携帯型電話機を載置する。このとき、受け部９dに携帯型電話機１の下部が支持され、受け部10dに携帯型電話機１の上部が支持される。したがって、携帯型電話機１のアンテナ１aは机上面に対して離れた位置に位置付けられる。
【００１７】
図５は図４における各コネクタおよびケーブルの接続状態を示す説明図であり、１bは電池パック、１cは制御回路、１dは外部機器との間でデータの送受を行うための入出力部を示す。携帯型電話機１の入出力部１dには、携帯型電話機１の内部の電池パック１bに連結している端子と、外部データの入出力用の端子とが設けられている。これらの端子と接続ケーブル11が接続して、コネクタ14を介して分岐回路基板８に連結し、この分岐回路基板８において、電池パック１bに連結している端子を接続コネクタ13側に電気的に接続し、外部データの入出力用の端子を接続コネクタ12側に電気的に接続している。
【００１８】
このように構成したことにより、携帯型電話機１を使用してデータ通信を行いながら携帯型電話機１の電池パック１bを充電することができる。また、携帯型電話機を持ち上げた状態で支持することにより、机上面から離れた位置に携帯型電話機を位置付けることができるので、アンテナゲインの低下を防ぎ、発着呼感度を良好にすることができる。さらに、接続分岐装置５を使用しないときには、前，後部爪９，10を閉じて上筐体６と一体にすることができるので、携帯に優れたものとなる。
【００１９】
【発明の効果】
以上、説明した通りに構成された本発明によれば、携帯型電話機を充電しながら、同じ携帯型電話機を使用してデータ通信を行えるため、データ通信の途中で携帯型電話機の電池パックが切れることがなくなる。
【００２０】
また、携帯型電話機を机上などの接続分岐装置本体の載置面から離れた状態で支持することができるので、アンテナゲインを低下させることなく、発着呼感度を良好な状態とすることができる。また、電池パックの充電、またはデータ通信を行わない場合は、保持部材を回動させて接続分岐装置本体の外壁に密着させることで外壁と一体となるため、携帯に優れたものとなる。
【図面の簡単な説明】
【図１】本発明の一実施形態の装置の構成を示す分解斜視図である。
【図２】接続分岐装置の外観を示す斜視図である。
【図３】図２の装置の前部爪および後部爪を開いた状態を示す斜視図である。
【図４】本発明の実施形態の装置の使用状態を示した斜視図である。
【図５】図４における各コネクタおよびケーブルの接続状態を示す説明図である。
【図６】従来における、携帯型電話機を使用してデータ通信を行うための装置および接続状態を示す説明図である。
【符号の説明】
１…携帯型電話機、１a…アンテナ、 １b…電池パック、 １c…制御回路、 １d…入出力部、 ２…モデム、 ３…パーソナルコンピュータ、 ４…ケーブル、 ５…接続分岐装置、 ６…上筐体、 ６a…切欠き、 ６b，６c…窓、 ６d，６e…孔、 ７…下筐体、 ８…分岐回路基板、 ９…前部爪、 ９a…側面部、 ９b…突起、 ９c，10c…中央部、 ９d…受け部、 10…後部爪、 10a…側面部、 10b…突起、 10d…受け部、 11…接続ケーブル、 11a…コネクタ、 12…接続コネクタ、 13…接続コネクタ、 14…コネクタ、 15〜20…取付けねじ、 21〜24…ゴム、 25…シート、 26…給電アダプタ、 26a…差し込み部、 26b…接続コネクタ。
【図１】
0003681482.tif 000002
【図２】
0003681482.tif 000003
【図３】
0003681482.tif 000004
【図４】
0003681482.tif 000005
【図５】
0003681482.tif 000006
【図６】
0003681482.tif 000007